【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
通信方法であって、
ネットワークから情報を検索することと、
前記検索された情報から、前記ネットワークがホームネットワークかどうかを決定することと、
前記ネットワークへの登録中に前記ネットワークが前記ホームネットワークではないと決定したことに応じて、前記ネットワークの国際アクセスコードにアクセスすることと、
前記国際アクセスコードを用い、前記ネットワークを通じて、国際通話を申し込むことと
を備える方法。
【請求項２】
請求項１に記載の方法において、前記情報は、前記ネットワークに登録している間に検索される方法。
【請求項３】
請求項２に記載の方法において、前記国際通話の開始は、ハンドセット上のキーを動作させることからなる方法。
【請求項４】
請求項３に記載の方法において、前記情報を検索することは、前記キーを動作させることに応じている方法。
【請求項５】
請求項３に記載の方法において、前記国際アクセスコードを識別することは、前記ハンドセット上のキーを動作させることに応じている方法。
【請求項６】
請求項１に記載の方法において、前記国際アクセスコードを識別することは、前記情報を前記国際アクセスコードにマップすることを備える方法。
【請求項７】
請求項１に記載の方法において、前記ネットワークはＣＤＭＡネットワークを備える方法。
【請求項８】
請求項１に記載の方法において、前記情報は、システムパラメータメッセージを備える方法。
【請求項９】
請求項８に記載の方法において、前記情報は、システム識別子（ＳＩＤ）を備える方法。
【請求項１０】
請求項９に記載の方法において、前記方法は更に、
受信されたＳＩＤを、格納されたホームネットワークのシステム識別子（ＳＩＤ）と比較することと、
もしも前記受信されたＳＩＤが前記ホームネットワークのＳＩＤと異なるのであれば、前記国際アクセスコードを用いて、前記ネットワークを通じて国際通話を申し込むことと、
もしも前記受信されたＳＩＤが前記ホームネットワークのＳＩＤであれば、前記ホームネットワークの国際アクセスコードを用いて、前記ネットワークを通じて国際通話を申し込むことと
を備える方法。
【請求項１１】
請求項１に記載の方法において、システムパラメータメッセージを備える前記検索された情報から前記ネットワークが位置している国を決定することを更に備える方法。
【請求項１２】
請求項１１に記載の方法において、前記検索された情報から前記ネットワークが位置している前記国を決定することが、システム識別子（ＳＩＤ）を備える方法。
【請求項１３】
請求項１２に記載の方法であって、更に、
受信されたＳＩＤを、格納されたホームネットワークのシステム識別子（ＳＩＤ）と比較することと、
もしも前記受信されたＳＩＤが前記ホームネットワークのＳＩＤと異なるのであれば、前記国際アクセスコードを用いて、前記ネットワークを通じて国際通話を申し込むことと、
もしも前記受信されたＳＩＤが前記ホームネットワークのＳＩＤであれば、ホーム国際アクセスコードを用いて、前記ネットワークを通じて国際通話を申し込むことと
を備える方法。
【請求項１４】
請求項１に記載の方法であって、更に、
前記ネットワークから位置情報を検索することと、
ルックアップテーブルにアクセスすることにより、前記ネットワークへの登録中に前記ネットワークが前記ホームネットワークではないと決定したことに応じて、前記ネットワークの前記国際アクセスコードにアクセスすることと
を備える方法。
【請求項１５】
通信方法を実行するためのコンピュータプログラムによって実行可能な命令のプログラムを組み入れたコンピュータ読取可能媒体であって、前記方法は、
ネットワークから情報を検索することと、
前記検索された情報から、前記ネットワークがホームネットワークかどうかを決定することと、
前記ネットワークへの登録中に前記ネットワークが前記ホームネットワークではないと決定したことに応じて、前記ネットワークの国際アクセスコードにアクセスすることと、
前記国際アクセスコードを用い、前記ネットワークを通じて、国際通話を申し込むことと
を備えるコンピュータ読取可能媒体。
【請求項１６】
請求項１５に記載のコンピュータ読取可能媒体において、前記情報は、前記ネットワークへの登録中に検索されるコンピュータ読取可能媒体。
【請求項１７】
請求項１５に記載のコンピュータ読取可能媒体において、前記情報を検索することは、ハンドセット上のキーを動作させることに応じているコンピュータ読取可能媒体。
【請求項１８】
請求項１５に記載のコンピュータ読取可能媒体において、前記国際アクセスコードを識別することは、ハンドセット上のキーを動作させることに応じているコンピュータ読取可能媒体。
【請求項１９】
請求項１６に記載のコンピュータ読取可能媒体において、前記国際アクセスコードを識別することは、前記情報を前記国際アクセスコードにマップすることを備えるコンピュータ読取可能媒体。
【請求項２０】
請求項１５に記載のコンピュータ読取可能媒体において、前記ネットワークはＣＤＭＡネットワークを備えるコンピュータ読取可能媒体。
【請求項２１】
請求項１５に記載のコンピュータ読取可能媒体において、前記方法は更に、システムパラメータメッセージを備える前記検索された情報から、前記ネットワークが位置している国を決定することを備える、コンピュータ読取可能媒体。
【請求項２２】
請求項２１に記載のコンピュータ読取可能媒体において、前記方法は更に、システム識別子（ＳＩＤ）を備える前記検索された情報から、前記ネットワークが位置している前記国を決定することを備える、コンピュータ読取可能媒体。
【請求項２３】
請求項２２に記載のコンピュータ読取可能媒体において、前記方法は更に、
受信されたＳＩＤを、格納されたホームネットワークのシステム識別子（ＳＩＤ）と比較することと、
もしも前記受信されたＳＩＤが前記ホームネットワークのＳＩＤと異なるのであれば、前記国際アクセスコードを用いて、前記ネットワークを通じて国際通話を申し込むことと、
もしも前記受信されたＳＩＤが前記ホームネットワークのＳＩＤであれば、ホーム国際アクセスコードを用いて、前記ネットワークを通じて国際通話を申し込むことと
を備える、コンピュータ読取可能媒体。
【請求項２４】
請求項１５に記載のコンピュータ読取可能媒体であって、前記方法は更に、
前記ネットワークから位置情報を検索することと、
ルックアップテーブルにアクセスすることにより、前記ネットワークへの登録中に前記ネットワークが前記ホームネットワークではないと決定したことに応じて、前記ネットワークの前記国際アクセスコードにアクセスすることと
を備える、コンピュータ読取可能媒体。
【請求項２５】
通信装置であって、
ネットワークから情報を検索する手段と、
前記検索された情報から、前記ネットワークがホームネットワークであるかどうかを決定する手段と、
前記ネットワークへの登録中に前記ネットワークが前記ホームネットワークではないと決定したことに応じて、前記ネットワークの国際アクセスコードにアクセスする手段と、
前記国際アクセスコードを用い、前記ネットワークを通じて、国際通話を申し込む手段と
を備える通信装置。
【請求項２６】
請求項２５に記載の通信装置において、前記検索する手段は、前記ネットワークへの登録中に前記情報を検索するように構成されている通信装置。
【請求項２７】
請求項２５に記載の通信装置において、前記国際通話を開始する手段を更に備え、前記検索する手段は、前記国際通話の開始に応じて前記情報を検索するように構成されている通信装置。
【請求項２８】
請求項２７に記載の通信装置において、前記国際通話を開始する手段は、キーを備える通信装置。
【請求項２９】
請求項２７に記載の通信装置において、前記識別する手段は、前記国際通話の開始に応じて前記国際アクセスコードを識別するように構成されている通信装置。
【請求項３０】
請求項２５に記載の通信装置において、前記識別する手段は、前記情報を前記国際アクセスコードにマップする手段を備える通信装置。
【請求項３１】
請求項２５に記載の通信装置において、前記ネットワークがＣＤＭＡネットワークを備える通信装置。
【請求項３２】
請求項２５に記載の通信装置において、システムパラメータメッセージを備える前記検索された情報から前記ネットワークが位置している国を決定する手段を更に備える通信装置。
【請求項３３】
請求項３２に記載の通信装置において、システム識別子（ＳＩＤ）を備える前記検索された情報から前記ネットワークが位置している前記国を決定する手段を更に備える通信装置。
【請求項３４】
請求項３３に記載の通信装置において、更に、
受信されたＳＩＤを、格納されたホームネットワークのシステム識別子（ＳＩＤ）と比較する手段と、
もしも前記受信されたＳＩＤが前記ホームネットワークのＳＩＤと異なるのであれば、前記国際アクセスコードを用いて、前記ネットワークを通じて国際通話を申し込む手段と、
もしも前記受信されたＳＩＤが前記ホームネットワークのＳＩＤであれば、ホーム国際アクセスコードを用いて、前記ネットワークを通じて国際通話を申し込む手段と
を備える通信装置。
【請求項３５】
請求項２５に記載の通信装置において、更に、
前記ネットワークから位置情報を検索する手段と、
ルックアップテーブルにアクセスすることにより、前記ネットワークへの登録中に前記ネットワークが前記ホームネットワークではないと決定したことに応じて、前記ネットワークの前記国際アクセスコードにアクセスする手段と
を備える通信装置。
【請求項３６】
通信装置であって、
メモリと、
ネットワークから情報を検索し、前記検索された情報から前記ネットワークがホームネットワークかどうかを決定し、前記ネットワークへの登録中に前記ネットワークが前記ホームネットワークではないと決定したことに応じて前記ネットワークの国際アクセスコードにアクセスし、前記国際アクセスコードを用い、前記ネットワークを通じて、国際通話を申し込むように構成されたプロセッサと
を備える通信装置。
【請求項３７】
請求項３６に記載の通信装置において、前記メモリおよび前記プロセッサは更に、前記ネットワークへの登録中に前記情報を検索するように構成されている通信装置。
【請求項３８】
請求項３６に記載の通信装置において、前記国際通話を開始するように構成されたキーを更に備え、前記メモリおよび前記プロセッサはハンドセット上のキーの動作に応じている通信装置。
【請求項３９】
請求項３８に記載の通信装置において、前記メモリおよび前記プロセッサは更に前記キーの動作に応じて前記情報を検索するように構成されている通信装置。
【請求項４０】
請求項３８に記載の通信装置において、前記メモリおよび前記プロセッサは更に、前記キーの動作に応じて前記国際アクセスコードを識別するように構成されている通信装置。
【請求項４１】
請求項３６に記載の通信装置において、前記メモリおよび前記プロセッサは更に、前記情報を前記国際アクセスコードにマップすることによって前記国際アクセスコードを識別するように構成されている通信装置。
【請求項４２】
請求項３６に記載の通信装置において、前記ネットワークはＣＤＭＡネットワークを備える通信装置。
【請求項４３】
前記メモリおよび前記プロセッサは更に、システムパラメータメッセージを備える前記検索された情報から前記ネットワークが位置している国を決定するように構成されている通信装置。
【請求項４４】
請求項４３に記載の通信装置において、前記メモリおよび前記プロセッサは更に、システム識別子（ＳＩＤ）を備える前記検索された情報から前記ネットワークが位置している前記国を決定するように構成されている通信装置。
【請求項４５】
請求項４４に記載の通信装置において、前記メモリおよび前記プロセッサは更に、
受信されたＳＩＤを、格納されたホームネットワークのシステム識別子（ＳＩＤ）と比較し、
もしも前記受信されたＳＩＤが前記ホームネットワークのＳＩＤと異なるのであれば、前記国際アクセスコードを用いて、前記ネットワークを通じて国際通話を申し込み、
もしも前記受信されたＳＩＤが前記ホームネットワークのＳＩＤであれば、ホーム国際アクセスコードを用いて、前記ネットワークを通じて国際通話を申し込む
ように構成されている通信装置。
【請求項４６】
請求項３６に記載の通信装置において、前記メモリおよび前記プロセッサは更に、
前記ネットワークから位置情報を検索し、
ルックアップテーブルにアクセスすることにより、前記ネットワークへの登録中に前記ネットワークが前記ホームネットワークではないと決定したことに応じて、前記ネットワークの前記国際アクセスコードにアクセスする
ように構成されている通信装置。